(57)【要約】      （修正有）【課題】部品点数を少なく抑えた簡単な構成でありながら、ユーザーが任意のカチューシャを組み合わせてデザインのアレンジを自由に行うことができるカチューシャを提供する。【解決手段】本カチューシャは、弾性材からなる連結具２，２を使用することにより、カチューシャをアレンジするものである。２本のカチューシャ１Ａ，１Ｂの両方の端部に弾性材からなる連結具２，２を装着することによって、２本のカチューシャ１Ａ，１Ｂを一体化することができる。これにより、異なる色や模様、素材からなる複数のカチューシャ１Ａ，１Ｂの組み合わせで多様なアレンジができる。また、弾性材よりなる中間連結具３Ａを装着すれば、連結したカチューシャ１Ａ，１Ｂの幅を固定することができる。また、中間連結具３Ａには、飾り具４Ａをつけることが出来る。これにより一層のアレンジが達成できる。【選択図】図１
0003155788.tif 000002
【実用新案登録請求の範囲】
【請求項１】
複数本の湾曲棒状のカチューシャと、前記カチューシャの端部を挿入させるための凹状の挿入部を複数有する弾性材よりなる一対の連結具とを備え、前記複数本のカチューシャを並列に配置した状態で、前記複数本のカチューシャの両端部に前記一対の連結具を装着することで、前記複数本のカチューシャの端部同士を連結してなることを特徴とするカチューシャ。
【請求項２】
前記連結具で連結した複数のカチューシャそれぞれに挿通するための中空の挿通部を有する弾性材よりなる中間連結具をさらに備え、前記中間連結具を、前記連結具で連結した複数のカチューシャの長手方向における任意の位置に装着したことを特徴とする請求項１に記載のカチューシャ。
【請求項３】
前記中間連結具に取り付けるための飾り具をさらに備え、前記中間連結具と前記飾り具との間には、前記飾り具を前記中間連結具に対して着脱可能に取り付けるための取付部が設けられていることを特徴とする請求項２に記載のカチューシャ。
【請求項４】
弾性材からなり、カチューシャの端部を挿入させるための凹状の挿入部を複数有することを特徴とするカチューシャ用連結具。
【考案の詳細な説明】
【技術分野】
【０００１】  本考案は、頭髪に装着するカチューシャに関し、詳細には、複数本のカチューシャを組み合わせることによりデザインの多彩なアレンジができるカチューシャ、及びそれに用いるカチューシャ用連結具に関するものである。
【背景技術】
【０００２】  従来の頭髪に装着するカチューシャは、一般的に、購入したユーザーがデザインを自由に変更できるものではなかった。そのため、カチューシャに対する多様化したデザインのニーズに適切に対応することが難しかった。また、生産者にとっては、売れ残りのおそれがあるために同一デザインのカチューシャの大量生産ができず、コストアップの原因になっている。また、消費者にとっては、洋服などに合わせたデザインのカチューシャを何種類も購入しなければならず、あまり経済的でないという問題がある。【０００３】  この点に関する従来技術として、特許文献１には、多重組み合わせが可能なカチューシャが記載されている。この特許文献１に記載のカチューシャによれば、色や模様の違う複数本のカチューシャを組み合わせることによって、カチューシャのデザインを変えて楽しむ事ができる。
【先行技術文献】
【特許文献】
【０００４】
【特許文献１】  実用新案登録第３０７０２２０号公報
【考案の概要】
【考案が解決しようとする課題】
【０００５】  ところで、特許文献１に記載されたカチューシャは、単体のカチューシャの両端部に凸凹部があり、この凸凹部を互いに勘合することにより組み合わせるようになっている。しかしながら、組み合わせたときに上部になるカチューシャと下部になるカチューシャの凸凹部が表面に露出することで、当該凸凹部が髪の毛に引っかかるおそれがある。この点は、カチューシャを組み合わせずに一本のみで使用する場合でも同様である。また、組み合わせたカチューシャの両端の表面に凸凹部が露出しないようにするために、上部用のカチューシャ、下部用のカチューシャを別に用意することも考えられるが、部品点数が増えてしまうので合理的でない。しかも、ユーザーが任意の組み合わせで単体のカチューシャを連結して使用できるようにするためには、カチューシャに形成する凸凹部は、互いの係合が硬すぎず、ゆるすぎず、容易に外れない程度の精度に加工する必要がある。そのためには、高額な金型を製作して厳密に寸法管理されたカチューシャを製造しなくてはならず、製造コストが嵩んでしまう。また、カチューシャの凸部が折れてしまうと、組み立て不能になるという問題もある。また、複数本のカチューシャを組み合わせる場合、同じ形状の凸凹部を持つカチューシャ同士でなければ、組み合わせる事ができず、組み合わせのバリエーションに限りがあった。【０００６】  本考案は、上記課題を解決するためになされたものであり、その目的は、部品点数を少なく抑えた簡単な構成でありながら、ユーザーが任意のカチューシャを組み合わせてデザインのアレンジを自由に行うことができるカチューシャ及びカチューシャ用連結具を提供することある。【０００７】
【課題を解決するための手段】
【０００８】  上記課題を解決するため、本考案にかかるカチューシャは、複数本の湾曲棒状のカチューシャと、当該カチューシャの端部を挿入させるための凹状の挿入部を複数有する弾性材よりなる一対の連結具とを備え、複数本のカチューシャを並列に配置した状態で、複数本のカチューシャの両端部に一対の連結具を装着することで、複数本のカチューシャの端部同士を連結してなることを特徴とする。【０００９】  この構成によれば、単体のカチューシャに連結のための凸凹部を設ける必要が無くなる。したがって、組み合わせたカチューシャの端部の表面に凸凹部が露出せずに済むので、使用時に髪の毛がひっかかるような事はない。また、組み合わせる前のカチューシャがもともと単体での使用を目的としたものである場合でも、連結具によってこれを連結して自由に組み合わせることが可能となる。したがって、色、模様、形状、素材などが互いに異なる複数のカチューシャを連結具で自由に組み合わせることが簡単に行えるようになる。これにより、ユーザーが任意のカチューシャを組み合わせてデザインのアレンジを自由に行うことができるようになる。【００１０】  また、連結具が弾力性のある材料で出来ている為、連結具をカチューシャの端部に装着する作業は、特別な工具などを用いることなく手作業で簡単に行うことができる。したがって、例えば、組み合わせが気にいらなければ、ユーザーがその場で組み直す事も出来る。また、パーツ的にも一対の連結具があればよいので、廉価で製作することが出来る。さらに、連結具が弾性材からなることで、連結具に設けた凹状の挿入部は、カチューシャの端部に合わせて多少の変形が可能である。したがって、端部の太さや形状が多少異なるカチューシャであっても、自由に組み合わせることができる。そのため、カチューシャ用の金型の製作においてそれほどの精度が必要なく、廉価に金型を製作できる。
以上のように、本考案によれば、ユーザーによるデザインの自由なアレンジが可能なカチューシャを非常に経済的に製造することが出来る。【００１１】  また、本考案にかかるカチューシャは、上記構成に加えて、連結具で連結した複数のカチューシャそれぞれに挿通するための中空の挿通部を有する弾性材よりなる中間連結具をさらに備え、中間連結具を、連結具で連結した複数のカチューシャの長手方向における任意の位置に装着できるようにしてもよい。【００１２】  この構成によれば、中間連結具の使用により、連結具で端部を連結した複数のカチューシャの中間部分を互いに固定することができるので、並列に配置したカチューシャ同士の幅を固定することができる。また、大きさが異なる複数種類の中間連結具を用意すれば、カチューシャの色、模様、素材だけでなく、幅も自由にアレンジできるようになる。【００１３】  また、本考案にかかるカチューシャは、上記構成に加えて、中間連結具に取り付けるための飾り具をさらに備え、中間連結具と飾り具との間には、飾り具を中間連結具に対して着脱可能に取り付けるための取付部が設けられていてもよい。【００１４】  この構成によれば、中間連結具による幅の固定だけではなく、中間連結具に飾り具を取り付けて使用することができるため、カチューシャに高級感のある飾りを施したり、かわいい感じの飾りを施したりすることが自由自在に行えるようになる。また、飾り具は、中間連結具に対して着脱可能であるため、必要に応じて取り外すこともできる。したがって、カチューシャのデザインに一層の変化をもたらすことができる。【００１５】  また、本考案にかかるカチューシャ用連結具は、弾性材からなり、カチューシャの端部を挿入させるための凹状の挿入部を複数有することを特徴とする。このようなカチューシャ用連結具によれば、既存の単体のカチューシャを簡単に連結できるので、任意のデザインのカチューシャを作成することが可能となる。
【考案の効果】
【００１６】  本考案にかかるカチューシャによれば、複数のカチューシャの端部を連結する弾性材からなる連結具を備えたことで、部品点数を少なく抑えた簡単な構成でありながら、任意のカチューシャを組み合わせてデザインのアレンジを自由に行うことができるようになる。
【図面の簡単な説明】
【００１７】
【図１】本考案の第１実施形態にかかるカチューシャの斜視図である。
【図２】本考案の第１実施形態にかかるカチューシャの分解斜視図である。
【図３】本考案の第２実施形態にかかるカチューシャの斜視図であり、３本用連結具に３本のカチューシャおよび３個の飾り具を装着した状態を示す図である。
【図４】本考案の第２実施形態にかかるカチューシャの他の構成例を示す斜視図であり、３本用連結具に２本のカチューシャを接続した状態を示す図である。
【図５】本考案の第３実施形態にかかるカチューシャの斜視図である。
【考案を実施するための形態】
【００１８】  以下、添付図面を参照して本考案の実施形態を詳細に説明する。
〔第１実施形態〕
図１は、本考案の第１実施形態にかかるカチューシャを示す斜視図である。また、図２は、第１実施形態にかかるカチューシャの分解斜視図である。図１及び図２に示すカチューシャ（連結したカチューシャ）は、２本の湾曲棒状のカチューシャ（単体のカチューシャ）１Ａ，１Ｂと、これらカチューシャ１Ａ、１Ｂの端部１１を挿入させるための凹状の挿入部２１を複数有する弾性材よりなる一対の連結具２，２を備えている。そして、２本カチューシャ１Ａ、１Ｂを並列に配置した状態で、これら２本のカチューシャ１Ａ、１Ｂの両端部１１，１１に一対の連結具２，２を装着することで、２本のカチューシャ１Ａ、１Ｂの端部１１同士を連結した構成である。さらに、上記の連結具２で連結した２本のカチューシャ１Ａ，１Ｂそれぞれに挿通するための中空の挿通部３１，３１を有する弾性材よりなる中間連結具３Ａをさらに備えている。この中間連結具３Ａは、連結具２で連結したカチューシャ１Ａ，１Ｂの長手方向における中間位置に装着されている。この中間連結具３Ａによって、カチューシャ１Ａとカチューシャ１Ｂの幅を固定している。また、中間連結具３Ａに取り付けるための星型飾り（飾り具）４Ａをさらに備えている。中間連結具３Ａと星型飾り４Ａとの間には、星型飾り４Ａを中間連結具３Ａに対して着脱可能に取り付けるための取付軸４１及び取付穴３２（取付部）が設けられている。
【００１９】  カチューシャ１Ａ，１Ｂは、従来構成の湾曲棒状に形成されたカチューシャである。このカチューシャ１Ａ，１Ｂは、複数本を組み合わせるために用意した専用のものであってもよいし、既存のカチューシャを流用したものであってもよい。一方、一対の連結具２，２は、互いに同一の構成である略直方体形状の小部材であり、その長手方向の一端に開口するように平行に並んで設けられた二個の凹部からなる挿入部２１，２１が形成されている。連結具２は、弾力性のある樹脂製で、射出成形にて加工されているため、ゴムのように伸縮する。図２に示すように、連結具２の挿入部２１の内径は、カチューシャの端部１１の外径よりも多少小さい寸法になっている。そして、連結具２の弾力性を利用して、カチューシャ１Ａ，１Ｂの端部１１を連結具２の挿入部２１の奥まで差し込んで装着する。このとき、連結具２の挿入部２１は、カチューシャ１Ａ，１Ｂの端部１１で押し広げられるが、材料の特性により縮む力が働くので、簡単には抜けないようにきつく嵌められた状態で装着される。このようにして、２本のカチューシャ１Ａ，１Ｂの両端１１，１１にそれぞれ連結具２，２を装着する。これによって２本のカチューシャ１Ａ，１Ｂが一体となる。このとき、例えば、一方のカチューシャ１Ａに青色のものを用いて、他方のカチューシャ１Ｂに白色のものを用いるなど、互いのカチューシャ１Ａ，１Ｂの色を異ならせるようにすれば、組み合わせたカチューシャは、大変、色鮮やかなものとなる。このように色の違いや模様の違い、あるいは素材の違いなどでカチューシャ１Ａ，１Ｂの組み合わせによるデザインを簡単に変える事ができる。また、以前に使用していたカチューシャが連結具２で連結できるものであれば、他のカチューシャとの組み合わせにより新しいカチューシャとなる。連結具２の挿入部２１の形状を変えることにより、大きさの違うカチューシャ同士の一体化も可能である。
【００２０】  中間連結具３Ａは、連結具２と同様、弾力性のある材質で出来ている。図２に示すように、中間連結具３Ａは、略直方体形状の小部材であり、その長手方向の両端に開口するように互いに平行に並べられた二個の貫通孔からなる挿通部３１，３１が形成されている。この中間連結具３Ａをカチューシャ１Ａ，１Ｂに装着するには、カチューシャ１Ａ，１Ｂの端部１１を挿通部３１，３１に差し込んで、中間連結具３Ａをカチューシャ１Ａ，１Ｂの端部１１から長手方向の中間位置までずらして移動する。この際、挿通部３１は弾性で広がるため、中間連結具３Ａは、カチューシャ１Ａ，１Ｂの長手方向に沿う任意の位置まで自由自在に移動できる。なお、中間連結具３Ａも材料の特性により縮む力が働くので、手で移動させない限り、簡単にずれない程度にきつく嵌められた状態で装着される。この中間連結具３Ａによって、カチューシャ１Ａとカチューシャ１Ｂの間隔が固定される。なお、挿通部３１，３１の間隔が互いに異なる数種類の中間連結具３Ａを製作すれば、カチューシャ１Ａ，１Ｂの間隔が狭いものから広いものまで自由に作ることができるようになり、デザインのバリエーションが豊富になる。また、図１では、１個の中間連結具３Ａを装着した場合を示したが、中間連結具３Ａは、好みに応じて複数個を並べて取り付けることも可能である。
【００２１】  中間連結具３Ａに設けた取付穴３２は、星型飾り（飾り具）４Ａを取り付けるためのものである。すなわち、星型飾り４Ａに設けた取付軸４１を中間連結具３Ａに設けた取付穴３２に挿入して、星型飾り４Ａを中間連結具３Ａに固定する。中間連結具３Ａは、弾力性のある樹脂材で構成されているため、取付軸４１の外径よりも取付穴３２の内径の方が若干小さい寸法になっている。また、星型飾り４Ａの取り付け及び取り外しの硬さは、取付軸４１あるいは取付穴３２の大きさによって変える事ができる。なお、星型飾り４Ａは、中間連結具３Ａをカチューシャ１Ａ，１Ｂに装着した状態で着脱しても良いし、中間連結具３Ａをカチューシャ１Ａ，１Ｂから取り外した状態で着脱しても良い。したがって、星型飾り４Ａだけを交換することができる。もちろん中間連結具３Ａごと交換しても構わない。
【００２２】  〔第２実施形態〕
図３は、本考案の第２実施形態にかかるカチューシャを示す斜視図である。本実施形態のカチューシャは、３本のカチューシャ１Ａ，１Ｂ，１Ｃを連結することができる他の連結具５を備えている。連結具５は、３本のカチューシャ１Ａ，１Ｂ，１Ｃの端部１１を挿入させるための３個の挿入部２１を備えている。このように、３本用の連結具５を使用すれば、連結したカチューシャのデザインをさらに多彩にすることができる。図３のように３本のカチューシャ１Ａ，１Ｂ，１Ｃを組み合わせる場合、例えば、カチューシャ１Ａを青色とし、カチューシャ１Ｂを白色とし、カチューシャ１Ｃを黄色とするなど、３色の色違いにすることもできるし、カチューシャ１Ａ，１Ｂ，１Ｃのうちいずれか２個が同じ色で、他の１個のみを違う色にすることも可能である。さらに、模様、素材の違いなどを加えれば、連結したカチューシャのデザインは、膨大な数のアレンジが可能となる。
【００２３】  また、図４は、本実施形態にかかるカチューシャの別の構成例を示す図である。同図に示すカチューシャは、連結具５が備える３個の挿入部２１のうち、両側の挿入部２１に２本のカチューシャ１Ａ，１Ｂをそれぞれ挿入し、中央の挿入部２１は空けたままとしている。連結具５を用いてこのように２本のカチューシャ１Ａ，１Ｂのみを連結することで、幅の広いカチューシャにすることも可能である。
【００２４】  また、図３には、他の構成の中間連結具３Ｂが示されている。同図に示す中間連結具３Ｂは、中間連結具３Ａとは違い、カチューシャ１Ｂ，１Ｃに取り付けるための貫通孔からなる挿通部３１の側面に切欠部５１が設けられている。したがって、中間連結具３Ｂは、カチューシャ１Ｂ，１Ｃの端部１１から差し込むのではなく、中間部分の側面で切欠部５１を押し広げて挿通部３１に押し込むことで装着するようになっている。この中間連結具３Ｂは、中間連結具３Ａよりも若干外れやすいものであるが、その反面、カチューシャ１Ｂ，１Ｃの端部１１を経由せずに、中間連結具３Ｂを装着したい箇所に直接取り付けることができるものである。
【００２５】  また、図３には、他の構成の星型飾り４Ｂが示されている。この星型飾り４Ｂは、中央に取付用の孔が開いた穴あきのものであり、図３の分解図に示すように、中間連結具３Ａに穴あき星型飾り４Ｂを重ね、ハトメ軸６Ａを上から差し込み、ハトメ受け６Ｂを中間連結具３Ａの下部より差し込む。そして、ハトメ受け６Ｂを潰し固定する。こうすることにより、穴あき星型飾り４Ｂと中間連結具３Ａは一体となり外れることはない。その後、中間連結具３Ａをカチューシャ１Ａ，１Ｂの端部１１から差し込み、長手方向の任意の位置に装着する。この場合、中間連結具３Ａと飾り具４Ｂは一体のため、飾り具４Ｂを交換する場合は、中間連結具３Ａごと交換する。上記の構成は、中間連結具３Ｂについても同様である。また、図３に示すように、星型飾り４Ａ以外にも、他の形状の飾り４Ｃなどを取り付けることも可能である。
【００２６】  〔第３実施形態〕
図５は、本考案の第３実施形態にかかるカチューシャの斜視図である。本実施形態のカチューシャは、断面が楕円形状の２本のカチューシャ１Ｄ，１Ｄの端部同士を連結具２，２で連結する際に、連結具２，２の中間部分を２回捻った状態で連結したものである。このように、連結具２，２の中間のカチューシャ１Ｄ，１Ｄにねじりを加えることにより、組み合わせたカチューシャのデザインをさらに多様化させることができるので、デザインの一層の変化が楽しめる。
【００２７】  なお、上記各実施形態では、２本又は３本のカチューシャを連結する場合を示したが、連結するカチューシャの本数は、これに限らず、他の本数であってもよい。また、単体のカチューシャの断面形状は、図１及び図２に示す長方形型又は図５に示す楕円形型に限らず、他の形状であってもよい。また、連結具の挿入部の内周形状は、カチューシャの端部の断面形状に合わせて、上記の長方形型又は楕円形型以外の形状にすることができる。
【００２８】  以上本考案の実施形態を説明したが、本考案は上記実施形態に限定されるものではなく、実用新案登録請求の範囲、及び明細書と図面に記載された技術的思想の範囲内において種々の変形が可能である。なお、直接明細書及び図面に記載のない何れの形状・構造・材質であっても、本願考案の作用・効果を奏する以上、本願考案の技術的思想の範囲内である。
【符号の説明】
【００２９】１Ａ    カチューシャ（青色）
１Ｂ    カチューシャ（白色）
１Ｃ    カチューシャ（黄色）
１Ｄ    カチューシャ（断面が楕円）
２      連結連結具（２本用）
３Ａ    中間連結具（差し込み用）
３Ｂ    中間連結具（押し込み用）
４Ａ    星型飾り（軸付き）
４Ｂ    星型飾り（穴あき）
５      連結具（３本用）
６Ａ    ハトメ軸
６Ｂ    ハトメ受け
１１    端部
２１    挿入部
３１    挿通孔
３２    取付穴
４１    取付軸
５１    切欠部
【図１】
0003155788.tif 000003
【図２】
0003155788.tif 000004
【図３】
0003155788.tif 000005
【図４】
0003155788.tif 000006
【図５】
0003155788.tif 000007